(57)【要約】【目的】耳掛ゴム紐による耳への不快感や苦痛を確実に軽減乃至は解消することができ、しかも使い捨てタイプ等の低価格帯マスクに適用可能であるマスク・眼帯における耳掛ゴム紐のゴム弾性緩和具を提供する。【構成】基端側を連結して先端側が開放された自由端部による上下一対の開閉アームで形成されたゴム弾性緩和具本体と、このゴム弾性緩和具本体の先端側内面にそれぞれ一体装着された摩擦性を有する上下の挟持面板を備え、前記各挟持面板は、ゴム紐を挟持延伸する際にこれを損傷可能に形成されていることを特徴とするマスク・眼帯における耳掛ゴム紐のゴム弾性緩和具。【選択図】        図１
2014073287.tif 000002
【特許請求の範囲】
【請求項１】
基端側を連結して先端側が開放された自由端部による上下一対の開閉アームで形成されたゴム弾性緩和具本体と、このゴム弾性緩和具本体の先端側内面にそれぞれ一体装着された摩擦性を有する上下の挟持面板を備え、前記各挟持面板は、ゴム紐を挟持延伸する際にこれを損傷可能に形成されていることを特徴とするマスク・眼帯における耳掛ゴム紐のゴム弾性緩和具。
【請求項２】
前記挟持面板の挟持状態時の上下及び／又は左右の位置ズレを防止する手段を有する構成であることを特徴とする請求項１に記載のマスク・眼帯における耳掛ゴム紐のゴム弾性緩和具。
【請求項３】
前記位置ズレ防止手段が、上下の挟持面板の噛合せによる構成であることを特徴とする請求項２に記載のマスク・眼帯における耳掛ゴム紐のゴム弾性緩和具。
【請求項４】
前記上下の挟持面板の噛合せ構成が、前記挟持面板の挟持面に形成した凹凸構成であることを特徴とする請求項３に記載のマスク・眼帯における耳掛ゴム紐のゴム弾性緩和具。
【請求項５】
前記挟持面板の挟持面が樹脂成形した構成であることを特徴とする請求項１〜４のいずれかに記載のマスク・眼帯における耳掛ゴム紐のゴム弾性緩和具。
【請求項６】
前記挟持面板の挟持面が金属板をプレス成形・折曲成形・切削成形した構成であることを特徴とする請求項１〜４のいずれかに記載のマスク・眼帯における耳掛ゴム紐のゴム弾性緩和具。
【請求項７】
前記上下の挟持面板の摩擦性が挟持延伸時のゴム紐の挟持位置により異なる構成であることを特徴とする請求項１〜６のいずれかに記載のマスク・眼帯における耳掛ゴム紐のゴム弾性緩和具。
【請求項８】
前記上下の挟持面板による挟持延伸時の挟持面圧がゴム紐の挟持位置により異なる構成であることを特徴とする請求項１〜７のいずれかに記載のマスク・眼帯における耳掛ゴム紐のゴム弾性緩和具。
【請求項９】
前記上下の挟持面板による挟持延伸時の複数のゴム紐の挟持位置の各々に目印を付した構成であることを特徴とする請求項７又は８に記載のマスク・眼帯における耳掛ゴム紐のゴム弾性緩和具。
【請求項１０】
前記上下の挟持面板による挟持延伸時のゴム紐の位置ズレを防止する手段を有する構成であることを特徴とする請求項１〜９のいずれかに記載のマスク・眼帯における耳掛ゴム紐のゴム弾性緩和具。
【請求項１１】
前記ゴム紐の位置ズレ防止手段が、上下の挟持面板の挟持面に形成した凹凸による構成であることを特徴とする請求項１０に記載のマスク・眼帯における耳掛ゴム紐のゴム弾性緩和具。
【請求項１２】
前記ゴム紐の位置ズレ防止手段が、前記挟持延伸時のゴム紐の一部を当接するように開閉アームの噛合せ方向及び／又は開閉アームの幅手方向にゴム緩和具本体の先端側の一部を延長形成した構成であることを特徴とする請求項１０に記載のマスク・眼帯における耳掛ゴム紐のゴム弾性緩和具。
【発明の詳細な説明】
【技術分野】
【０００１】
本発明はマスク・眼帯における耳掛ゴム紐のゴム弾性緩和具に関し、詳しくは医療用マスク、花粉症用マスク、作業用マスク、眼帯等に付与されている耳掛ゴム紐のゴム弾性を緩和させるための専用具に関する。
【背景技術】
【０００２】
使い捨てマスクに代表されるマスク類は、マスク両側部に付与されているゴム紐を耳に掛けることで顔面に装着される構成が一般的である。
【０００３】
特に、花粉症用マスクや風邪用マスクに代表される使い捨て（使い切り）タイプのマスクは、複数毎乃至は多数毎が箱入り等のセット販売されており、１セットのマスク全ての耳掛ゴム紐は一定長さに設定されている。
【０００４】
風邪等の疾病時や花粉症発生時は、マスク装着時間が長時間となるため、耳掛ゴム紐の長さが適切でない場合には、耳に掛けたゴム紐がきつく感じられて不快感を呈するだけでなく痛みによる苦痛をも感じることさえあるという問題点を有している。
【０００５】
そこで、この耳掛ゴム紐による不快感や苦痛を軽減乃至は解消するための技術が種々提案されている（例えば、特許文献１，２等参照）。
【０００６】
特許文献１には、耳掛ゴム紐の耳に当たる部分にフェルト布やスポンジ製の緩衝材を取付ける構成によって不快感や苦痛を軽減する技術が記載されている。
【０００７】
特許文献２には、耳掛ゴム紐の途中に長さ調整具を挿通掛止して該耳掛ゴム紐を適切な長さに調整可能とする構成によって不快感や苦痛を軽減する技術が記載されている。
【先行技術文献】
【特許文献】
【０００８】
【特許文献１】特開２００６−１５８９０５
【特許文献２】特開２００７−１６００４８
【発明の概要】
【発明が解決しようとする課題】
【０００９】
特許文献１の技術では、別部品と成る緩衝材を用意する必要があるため、低価格化が求められる使い捨てタイプのマスクではコスト高となるという問題点を有しているだけでなく、緩衝材を耳掛ゴム紐と耳との間に介在させたとしてもマスク装着時間が長くなった場合、例えば、就寝中の８時間程度や通勤通学等による外出中の半日程度等の長時間に及んだ場合には前記した不快感や苦痛を感じてしまう使用者もいるという課題や、使用時に外れたり紛失する場合もあるという問題点を有している。
【００１０】
特許文献２の技術では、別部品と成る長さ調整具を用意する必要があり、低価格化が求められる使い捨てタイプのマスクではコスト高となるという問題点を有している。特に、長さ調整具は、低コスト化を図るために低廉な素材を用いて簡素な構成で形成した場合、長時間の使用に際して弛みが発生したり適切な長さを維持することができなかったり外れてしまう場合があるという不都合が生じる可能性が高く、コストとの兼ね合いが難しいという問題点を有している。
【００１１】
そこで本発明の課題は、耳掛ゴム紐による耳への不快感や苦痛を確実に軽減乃至は解消することができ、しかも使い捨てタイプ等の低価格帯マスクに適用可能であるマスク・眼帯における耳掛ゴム紐のゴム弾性緩和具を提供することにある。
【課題を解決するための手段】
【００１２】
上記課題を解決する本発明は、下記構成を有する。
【００１３】
１．基端側を連結して先端側が開放された自由端部による上下一対の開閉アームで形成されたゴム弾性緩和具本体と、このゴム弾性緩和具本体の先端側内面にそれぞれ一体装着された摩擦性を有する上下の挟持面板を備え、前記各挟持面板は、ゴム紐を挟持延伸する際にこれを損傷可能に形成されていることを特徴とするマスク・眼帯における耳掛ゴム紐のゴム弾性緩和具。
【００１４】
２．前記挟持面板の挟持状態時の上下及び／又は左右の位置ズレを防止する手段を有する構成であることを特徴とする上記１に記載のマスク・眼帯における耳掛ゴム紐のゴム弾性緩和具。
【００１５】
３．前記位置ズレ防止手段が、上下の挟持面板の噛合せによる構成であることを特徴とする上記２に記載のマスク・眼帯における耳掛ゴム紐のゴム弾性緩和具。
【００１６】
４．前記上下の挟持面板の噛合せ構成が、前記挟持面板の挟持面に形成した凹凸構成であることを特徴とする上記３に記載のマスク・眼帯における耳掛ゴム紐のゴム弾性緩和具。
【００１７】
５．前記挟持面板の挟持面が樹脂成形した構成であることを特徴とする上記１〜４のいずれかに記載のマスク・眼帯における耳掛ゴム紐のゴム弾性緩和具。
【００１８】
６．前記挟持面板の挟持面が金属板をプレス成形・折曲成形・切削成形した構成であることを特徴とする上記１〜４のいずれかに記載のマスク・眼帯における耳掛ゴム紐のゴム弾性緩和具。
【００１９】
７．前記上下の挟持面板の摩擦性が挟持延伸時のゴム紐の挟持位置により異なる構成であることを特徴とする上記１〜６のいずれかに記載のマスク・眼帯における耳掛ゴム紐のゴム弾性緩和具。
【００２０】
８．前記上下の挟持面板による挟持延伸時の挟持面圧がゴム紐の挟持位置により異なる構成であることを特徴とする上記１〜７のいずれかに記載のマスク・眼帯における耳掛ゴム紐のゴム弾性緩和具。
【００２１】
９．前記上下の挟持面板による挟持延伸時の複数のゴム紐の挟持位置の各々に目印を付した構成であることを特徴とする上記７又は８に記載のマスク・眼帯における耳掛ゴム紐のゴム弾性緩和具。
【００２２】
１０．前記上下の挟持面板による挟持延伸時のゴム紐の位置ズレを防止する手段を有する構成であることを特徴とする上記１〜９のいずれかに記載のマスク・眼帯における耳掛ゴム紐のゴム弾性緩和具。
【００２３】
１１．前記ゴム紐の位置ズレ防止手段が、上下の挟持面板の挟持面に形成した凹凸による構成であることを特徴とする上記１０に記載のマスク・眼帯における耳掛ゴム紐のゴム弾性緩和具。
【００２４】
１２．前記ゴム紐の位置ズレ防止手段が、前記挟持延伸時のゴム紐の一部を当接するように開閉アームの噛合せ方向及び／又は開閉アームの幅手方向にゴム緩和具本体の先端側の一部を延長形成した構成であることを特徴とする上記１０に記載のマスク・眼帯における耳掛ゴム紐のゴム弾性緩和具。
【発明の効果】
【００２５】
請求項１に示す発明によれば、耳掛ゴム紐による耳への不快感や苦痛を確実に軽減乃至は解消することができ、しかも使い捨てタイプ等の低価格帯マスクに適用可能であるマスク・眼帯における耳掛ゴム紐のゴム弾性緩和具を提供することができる。
【００２６】
特に、耳掛ゴム紐を上下の挟持面板の間に挟持した状態で挟持延伸することによって該耳掛ゴム紐のゴム紐部分を構成する多数本の細糸状ゴム糸体の複数本を損傷させることができ、この損傷によって耳掛ゴム紐のゴム弾性が緩和されることになる。そして、この耳掛ゴム紐のゴム弾性の緩和によりマスク装着時の耳掛ゴム紐による不快感や苦痛を確実に軽減乃至は解消することができる。
【００２７】
耳掛ゴム紐の挟持延伸に際しては、適切な緩和程度になるまで１回〜複数回の挟持延伸を行うことによって使用者の所望のゴム弾性、即ち、耳への耳掛ゴム紐の掛かり具合が得られることになる。そして、この所望のゴム弾性を得ることができる挟持延伸を、新しいマスクを使用する前に行うことにより不快感や苦痛を呈することなくマスクの長時間装着が可能となる。
尚、手指の指腹や指爪を使って同様に耳掛ゴム紐のゴム弾性緩和作業を行った場合、所望の緩和程度を得ることが困難であり、不均一な緩和程度となったり、挟持延伸時の摩擦熱により指を痛めたりゴム紐の引掛かりによって爪が割れる等の不都合が生じることがあった。
【００２８】
請求項２に示す発明によれば、挟着状態時の上下の挟持面板の位置ズレを防止することにより耳掛ゴム紐を確実に挟持延伸することができる。従って、耳掛ゴム紐のゴム弾性を確実且つ適切な程度にまで緩和することが可能となる。
【００２９】
請求項３に示す発明によれば、上下の挟持面板が噛み合うことにより該上下の挟持面板の位置ズレを防止する構成により、最も位置ズレの生じ易い挟持面圧が最も掛かった際の
位置ズレを防止することができる。
【００３０】
請求項４に示す発明によれば、挟持状態時の上下の挟持面板の凹凸が噛み合うことにより極めて容易に位置ズレを防止することができる。
【００３１】
請求項５に示す発明によれば、摩擦性を有する挟持面板を容易に且つ低コストに製造することが可能である。
【００３２】
請求項６に示す発明によれば、摩擦性を有する挟持面板を容易に且つ低コストに製造することが可能である。
【００３３】
請求項７に示す発明によれば、挟持面板に対する耳掛ゴム紐の挟持位置を変えることによりゴム弾性の緩和程度を変えることができるので、使用者の所望のゴム弾性を得ることができる。
【００３４】
請求項８に示す発明によれば、挟持面板に対する耳掛ゴム紐の挟持位置を変えることによりゴム弾性の緩和程度を変えることができるので、使用者の所望のゴム弾性を得ることができる。
【００３５】
請求項９に示す発明によれば、所望のゴム弾性の緩和度が得られる挟持延伸時の挟持位置の目印を覚えておくことによって、新しいマスクに交換した際であっても耳掛ゴム紐を覚えた目印の位置で挟持延伸を行うことにより常に所望のゴム弾性に緩和させることができる。
【００３６】
請求項１０に示す発明によれば、挟持延伸時の耳掛ゴム紐が挟持面板の挟持位置がズレてしまうことを防止することにより確実に且つ所望の緩和度になるように挟持延伸することができる。
【００３７】
請求項１１に示す発明によれば、挟持状態時の上下の挟持面板の凹凸が噛み合うことにより耳掛ゴム紐が挟持面板からズレることなく確実に挟持延伸することができる。
【００３８】
請求項１２に示す発明によれば、耳掛ゴム紐の一部がガイド機能として作用する位置ズレ防止手段に当接しながら挟持延伸されることにより所望の挟持位置での挟持延伸が可能となる。
【図面の簡単な説明】
【００３９】
【図１】本発明に係るマスク・眼帯における耳掛ゴム紐のゴム弾性緩和具の一実施例を示す斜視図
【図２】挟持面板の挟持面の種々態様例を示す概略斜視図
【図３】挟持面板の噛合せ構成の種々態様例を示す概略斜視図
【図４】挟持面板の成形構成の種々態様例を示す要部概略断面図
【図５】本発明のゴム弾性緩和具を用いてマスクの耳掛ゴム紐を挟持延伸してゴム弾性を緩和させる状態の一例を示す概略説明図
【図６】開閉アームの先端側及び挟持面板の実施例を示す要部概略側面図
【図７】耳掛ゴム紐の位置ズレ防止手段の種々態様例を示す要部概略図
【図８】開閉アームの基端側の種々態様例を示す要部概略側面図
【発明を実施するための形態】
【００４０】
以下、本発明に係るマスク・眼帯における耳掛ゴム紐のゴム弾性緩和具（以下、単にゴム弾性緩和具ということもある。）について図面に基づき説明する。
【００４１】
本発明は医療用マスク、花粉症用マスク、作業用マスク、眼帯等の両端部に付与されている耳掛ゴム紐のゴム弾性を緩和させるための専用具であり、装着時に耳に掛ける際にきつさによる不快感や痛みによる苦痛を軽減乃至は解消するために、耳掛ゴム紐のゴム紐部分を構成する多数本の細糸状ゴム糸体の複数本を損傷させることによってゴム弾性を緩和させ、耳掛ゴム紐による耳への負担を軽減乃至は解消させるための専用具である。
【００４２】
そして、この本発明のゴム弾性緩和具の具体的な実施構成としては、例えば、図１に示すように、
基端側１Ｂを連結して先端側１Ａが開放された自由端部による上下一対の開閉アーム２（２Ａ・２Ｂ）で形成されたゴム弾性緩和具本体１と、このゴム弾性緩和具本体１の先端側１Ａ内面にそれぞれ一体装着された摩擦性を有する上下の挟持面板３（３Ａ・３Ｂ）を備え、前記各挟持面板３は、マスク・眼帯における耳掛ゴム紐（図５の符号４２参照）を挟持延伸する際にこれを損傷可能に形成されていること、を主構成とするものである。
【００４３】
以下、各構成について更に説明する。
【００４４】
ゴム弾性緩和具本体１は、合成樹脂製、ステンレスやアルミニウム等の金属製で形成されることが好ましく、例えば、親指を開閉アーム２の一方である上側アーム２Ａの上面部分に、人差し指を他方である下側アーム２Ｂの下面部分に添えて、両指で挟み込むことにより該開閉アーム２の開閉動作を可能とする。
【００４５】
上下一対の開閉アーム２は挟持面板３部分を閉じた際、即ち、耳掛ゴム紐を挟持延伸する際に、上側アーム２Ａと下側アーム２Ｂとの閉鎖位置が様々な方向にズレることなく合致するように位置ズレ防止手段を有することが好ましい。
【００４６】
開閉アーム２の位置ズレ防止手段としては、例えば、上下の挟持面板３Ａ・３Ｂの噛合せによって位置ズレを防止する構成を挙げることができ、好ましい噛合せ構成としては、例えば、前記挟持面板３Ａ・３Ｂの挟持面に形成した凹凸構成を挙げることができる。
【００４７】
以下、噛合せ構成の具体例である凹凸構成の種々態様を図２及び図３に示す。
【００４８】
図２は、下側挟持面３Ｂの挟持面に形成した凹凸構成の実施例を示すものであり、
（Ａ）は、開閉アーム２長手方向に山谷筋条の凹凸を形成した構成を示し、
（Ｂ）は、開閉アーム２の幅手方向に山谷筋条の凹凸を形成した構成を示し、
（Ｃ）は、縦横に並設する複数の山谷から成る凹凸を形成した構成を示し、
（Ｄ）は、複数の突起をヤスリ状に形成した構成を示す。
【００４９】
図３は、挟持面板３の上側挟持面板３Ａと下側挟持面板３Ｂの両方に形成された凹凸が噛合うことで合致する構成の実施例を示すものであり、
（Ａ）は、上側挟持面板３Ａを山形に形成し、下側挟持面板３Ｂを谷形に形成することによって、山形の上側挟持面板３Ａと谷形の下側挟持面板３Ｂとが合致する噛合せ構成を示し、
（Ｂ）は、上側挟持面板３Ａを山形に形成し、下側挟持面板３Ｂを谷形に形成すると共に挟持面に更に山谷筋条の凹凸構成を形成することによって、山形の上側挟持面板３Ａと谷形の下側挟持面板３Ｂとが合致する噛合せ構成を示し、
（Ｃ）は、上側挟持面板３Ａを山形に形成し、下側挟持面板３Ｂを谷形に形成すると共に挟持面の縁部に複数の切込部を形成することによって、山形の上側挟持面板３Ａと谷形の下側挟持面板３Ｂとが合致する噛合せ構成を示す。
【００５０】
尚、前記図３の（Ｂ）構成において山谷筋条の凹凸構成は図３の（Ｂ）に示す下側挟持面板３Ｂの挟持面に限らず、上側挟持面板３Ａの挟持面側に形成された態様とすることもできる。
【００５１】
更に上下一対の挟持面板３は、前述したように挟持面は摩擦性を有する構成となっている。この摩擦性を発揮させる構成としては、例えば、上記した凹凸構成から成る噛合せ構成と同様の構成等を挙げることができ、具体的には、（１）窪み・突起の組合せから成る凹凸構成、（２）凹条・凸条の組合せから成る筋条の凹凸構成、（３）谷形・山形の組合せから成る凹凸構成、（４）挟持面を梨地状や粗面状に形成した構成、（５）挟持面に筋条を形成した構成、（６）挟持面に格子条を形成した構成、（７）挟持面にエンボスを形成した構成、（８）挟持面を鮫肌状に形成した構成、（９）前記（１）〜（８）の２つ以上の組合せから成る構成、等を挙げることができる。
【００５２】
上記した挟持面構成を有する挟持面板３は、開閉アーム２に一体装着された構成を有するが、該開閉アーム２と挟持面板３とは一体的に形成された構成としてもよいし、別体で形成されたものを一体化した構成とすることもできる。
【００５３】
前記した図１〜図３に示す態様は、挟持面板３の挟持面を樹脂成形して開閉アーム２と一体装着した構成である。
【００５４】
図４は、挟持面板３の挟持面を金属板をプレス成形（図４の（Ａ）参照）・折曲成形（図４の（Ｂ）参照）・切削成形（図４の（Ｃ）参照）して形成した構成である。尚、図４の（Ｂ）及び（Ｃ）に示す態様では、上側アーム２Ａと上側挟持面板３Ａとが一体成形され、下側アーム２Ｂと下側挟持面板３Ｂとが一体成形された構成となっている。
【００５５】
以上の構成を有する本発明のゴム弾性緩和具を用いて耳掛ゴム紐のゴム弾性の緩和する方法の一例について次に説明する。
【００５６】
図５は一般的な風邪用のマスク４に適用する場合を示す。
【００５７】
先ず、マスク４のマスク本体４１の両側に付与されている耳掛ゴム紐４２の一方に対して、図５（Ａ）に示すように、ゴム弾性緩和具本体１の上下の挟持面板３Ａ・３Ｂ間に前記耳掛ゴム紐４２を挟持させる。
【００５８】
次に、図５（Ｂ）に示すように、上下の挟持面板３Ａ・３Ｂ間に耳掛ゴム紐４２を挟持させた状態で且つ符号Ｓ部分を抑えながら、図５の（Ａ）に示す矢符Ｘ方向に該耳掛ゴム紐４２をしごくようにゴム弾性緩和具本体１を移動させることによって前記耳掛ゴム紐４２を挟持延伸する。
【００５９】
以上の挟持延伸動作をマスク４の両方の耳掛ゴム紐４２の一方或いは両方に対して、１回乃至は複数回の任意の回数を行うことにより、該耳掛ゴム紐４２のゴム紐部分を構成する多数本の細糸状ゴム糸体の複数本を損傷させ、この損傷によって耳掛ゴム紐４２のゴム弾性を緩和させる。そして、この耳掛ゴム紐４２のゴム弾性の緩和によりマスク４装着時の耳掛ゴム紐４２による不快感や苦痛を確実に軽減乃至は解消することができる。
【００６０】
耳掛ゴム紐４２の挟持延伸に際しては、適切な緩和程度になるまで１回〜複数回の挟持延伸を行うことによって使用者の所望のゴム弾性、即ち、耳への耳掛ゴム紐４２の掛かり具合が得られることになる。そして、この所望のゴム弾性を得ることができる挟持延伸を、新しいマスク４に交換する度に、その使用前に行うことにより不快感や苦痛を呈することなくマスク４の長時間装着が可能となる。
【００６１】
本発明のゴム弾性緩和具によれば、多数本の細糸状ゴム糸体を有して構成耳掛ゴム紐を採用した様々なマスクや眼帯等について適用することができ、この適用によって耳掛ゴム紐のゴム弾性を所望程度まで緩和することができる。
【００６２】
以上、本発明のゴム弾性緩和具について実施例及び図面に基づき説明したが、本発明は上記した各実施例に限定されず、本発明の範囲内において更に他の態様を採ることができる。
【００６３】
例えば、上下一対の開閉アーム２は挟持の際の閉鎖時に、上側挟持面板３Ａと下側挟持面板３Ｂとが図６に示すように先ず先端側１Ａが当接し、更に手指による加圧によって該先端側１Ａから基端側１Ｂに向けて段々と閉鎖していく構成であることが好ましい。かかる構成によれば、上下の挟持面板３Ａ・３Ｂ間に耳掛ゴム紐を挟持する位置によって挟持延伸時の摩擦性及び／又は挟持面圧を異ならせることができるので、ゴム弾性の緩和程度の調整が可能となる。即ち、挟持面板３Ａ・３Ｂの先端側１Ａに近似した位置が最も摩擦性及び／又は挟持面圧が高いのでゴム弾性の緩和度が最も高く、先端側１Ａから最も離れた位置が最も摩擦性及び／又は挟持面圧が低くなるのでゴム弾性の緩和度が最も低くなる。
【００６４】
また、図６に示す態様では、上下の挟持面板３Ａ・３Ｂによる挟持延伸時の複数のゴム紐の挟持位置の各々に星印・丸印・三角印から成る目印１１を付すことによって、耳掛ゴム紐の挟持延伸時の挟持位置を把握し易い構成としている。かかる構成によれば、多数毎セットの使い捨てマスク等を使用する際、常に同じ目印１１の付された位置に耳掛ゴム紐を挟持させて挟持延伸することによって、新たなマスクに交換しても常に同じ状態にまでゴム弾性を緩和された耳掛ゴム紐を有するマスクとして装着することができるので、不快感や苦痛を感じることなく新たなマスクを使用することができる。尚、付される目印１１としては、図示の星印・丸印・三角印に限らず、他の図形や数字、アルファベット、文字、記号等であってもよいし、色や点字等で付されていてもよい。
【００６５】
更に、上下の挟持面板３Ａ・３Ｂ間に挟持した耳掛ゴム紐が挟持延伸時に位置ズレを起こしたり、場合によっては挟持面からの脱落を防止するために、耳掛ゴム紐の挟持位置の位置ズレを防止する手段を有する構成とすることもできる。
【００６６】
耳掛ゴム紐の位置ズレ防止手段としては、例えば、上記した実施例に記載した噛合せ構成等に採用した挟持面に形成した凹凸による構成や、図７に示すように、挟持延伸時の耳掛ゴム紐の一部を当接するように開閉アーム２の噛合せ方向及び／又は開閉アーム２の幅手方向にゴム緩和具本体１の先端側１Ａの一部を延長形成した構成を挙げることができる。
【００６７】
図７の（Ａ）は、ゴム緩和具本体１の一部を噛合せ方向に延伸して形成した挟持位置ズレ防止部１１を示す。この挟持位置ズレ防止部１２に挟持延伸時の耳掛ゴム紐４２の一部が当接することによって位置ズレを防止することができる。尚、挟持位置ズレ防止部１２は、耳掛ゴム紐４２の挟持位置よりも先端側１Ａに形成されることが好ましい。
【００６８】
図７の（Ｂ）は、ゴム緩和具本体１の一部を開閉アーム２の噛合せ方向に二箇所延伸して形成した挟持位置ズレ防止部１２・１３を示す。この挟持位置ズレ防止部１２・１３間において耳掛ゴム紐４２を挟持延伸することにより該耳掛ゴム紐４２は先端側１Ａ方向及び基端側１Ｂ方向への位置ズレを防止することができる。
【００６９】
図７の（Ｃ）は、ゴム緩和具本体１の一部を開閉アーム２の幅手方向に延伸して形成した挟持位置ズレ防止部１４を示す。この挟持位置ズレ防止部１４に挟持延伸時の耳掛ゴム紐の一部が当接することによって位置ズレを防止することができる。尚、挟持位置ズレ防止部１４は、耳掛ゴム紐の挟持位置よりも先端側１Ａに形成されることが好ましい。尚また、噛合せ方向や挟持延伸方向に延伸して形成する挟持位置ズレ防止部は、上下一対の開閉アーム３Ａ・３Ｂのいずれか一方に形成されていてもよいし、両方に形成されていてもよいし、幅手方向に延伸すると共に噛合せ方向に延伸して形成してもよい。
【００７０】
更に、上下一対の開閉アーム２の基端側１Ｂは、図１及び図８（Ａ）に示すように上側アーム２Ａと下側アーム２Ｂとが基端側１Ｂにおいて連続的に形成された一枚板構成であってもよいが、図８の（Ｂ）に示すように上側アーム２Ａと下側アーム２Ｂとを別体構成としたものを基端側１Ｂにおいて一体的に接続した構成であってもよい。
【００７１】
更に、本発明のゴム弾性緩和具は、基端側１Ｂを連結して先端側が開放された自由端部による上下一対の開閉アーム２から構成されて耳掛ゴム紐を挟持延伸できる形状であればよく、図１に示す開閉アーム２の形状に限らず、長手方向に幅狭形状に形成されていてもよい。
【００７２】
更にまた、開閉アーム２の上側アーム２Ａの上面部分と下側アーム２Ｂの下面部分に、挟持延伸時に該開閉アーム２を持つ手指が滑らないように滑り止め加工を施すことが好ましい。滑り止め加工としては、梨地加工を施したり、摩擦性を有する滑り止めパッド等を付加する等の構成を挙げることができる。
【符号の説明】
【００７３】
１  ゴム弾性緩和具本体
１Ａ  先端側
１Ｂ  基端側
１１  目印
１２  挟持位置ズレ防止部
１３  挟持位置ズレ防止部
１４  挟持位置ズレ防止部
２  開閉アーム
２Ａ  上側アーム
２Ｂ  下側アーム
３  挟持面板
３Ａ  上側挟持面板
３Ｂ  下側挟持面板
４  マスク
４１  マスク本体
４２  耳掛ゴム紐
【図１】
2014073287.tif 000003
【図２】
2014073287.tif 000004
【図３】
2014073287.tif 000005
【図４】
2014073287.tif 000006
【図５】
2014073287.tif 000007
【図６】
2014073287.tif 000008
【図７】
2014073287.tif 000009
【図８】
2014073287.tif 000010